(57)【要約】【課題】インバータ回路とそのコントロールＩＣなどの高価な駆動回路数を削減することで、食器洗い機の小形化、低価格化を実現し、さらには信頼性の向上を図る。【解決手段】食器類を洗浄する洗浄水を供給する洗浄ポンプ３１と、汚水を装置外部に排出する排水ポンプ３２とを内蔵する食器洗い機１において、前記洗浄ポンプ３１のモータ５１と、前記排水ポンプ３２のモータ５２とが１つの駆動回路５を共用し、かつ、前記駆動回路５の出力を１つのモータ５１又は５２に出力する切替手段５３を備える。【選択図】  図２
2004290534.tif 000002
【特許請求の範囲】
【請求項１】
食器類を洗浄する洗浄水を供給する洗浄ポンプと、汚水を装置外部に排出する排水ポンプとを内蔵する食器洗い機において、
前記洗浄ポンプのモータと、前記排水ポンプのモータとが１つの駆動回路を共用し、かつ、前記駆動回路の出力を１つのモータに出力する切替手段を備える
ことを特徴とする食器洗い機。
【請求項２】
前記食器洗い機の洗浄工程に従って、前記食器洗い機の主制御回路からの信号に基づき前記モータの１つに前記駆動回路から出力される
ことを特徴とする請求項１に記載の食器洗い機。
【請求項３】
前記ポンプのモータがブラシレス直流モータである
ことを特徴とする請求項１又は２に記載の食器洗い機。
【請求項４】
前記駆動回路が、インバータ回路からなる
ことを特徴とする請求項１〜３のいずれかに記載の食器洗い機。
【請求項５】
前記駆動回路が、センサレス駆動型回路からなる
ことを特徴とする請求項１〜４のいずれかに記載の食器洗い機。
【発明の詳細な説明】
【０００１】
【発明の属する技術分野】
本発明は、食器洗い機に関し、特に装置の小形化、低価格化を図る食器洗い機に関するものである。
【０００２】
【従来の技術】
食器洗い機は、食器類を洗浄するための洗浄水を洗浄ノズルに供給する洗浄ポンプと、洗浄後の汚水を装置外部に排出する排水ポンプの２台のポンプを内蔵し、主制御回路によって洗浄ポンプ、排水ポンプや乾燥ファンの駆動制御を始めとし、水道水の給水弁や排水弁の作動、洗浄ノズルからの洗浄水噴射量の調整等を制御して食器類の洗浄、すすぎ、乾燥までの一連の洗浄工程を逐次自動制御している（特許文献１参照）。
【０００３】
従来の食器洗い機では、洗浄ポンプのモータと排水ポンプのモータとが個別の駆動回路として、例えばインバータ回路を有し、２個のモータがそれぞれのインバータ回路により駆動制御される構成になっている。
【０００４】
【特許文献１】
特開平９−７５２９０号公報
【０００５】
【発明が解決しようとする課題】
上記のような従来の食器洗い機では、洗浄ポンプのモータと排水ポンプのモータを駆動制御するインバータ回路がそれぞれ別系統に分けられているので、従来は図３のブロック図に示すような、インバータ回路５４とそれを駆動する回転子位置検出回路５６、ＰＷＭ回路５７や論理回路５８を有する高価なコントロールＩＣ５９を備えた駆動回路６を洗浄ポンプと排水ポンプの個々のモータ５５にそれぞれ必要としていた。このため、インバータ回路５４やそのコントロールＩＣ５９のコストとその設置スペースを装置内に要し、食器洗い機のコストアップの一因となり、またコンパクト化の障害にもなっている。
【０００６】
本発明は、食器洗い機では食器類の洗浄やすすぎ洗いで用いられる洗浄ポンプと洗浄後の汚水を装置外部に排出する排水ポンプとが、食器類の洗浄工程で同時に運転されることがないのに着目し成されたもので、洗浄ポンプのモータと排水ポンプのモータが１つの駆動回路を共用し、切替回路によって択一されたモータに出力し駆動させることで、インバータ回路とそのコントロールＩＣなどの高価な駆動回路数を削減し、食器洗い機の小形化、低価格化を実現し、さらには信頼性の向上を図るものである。
【０００７】
【課題を解決するための手段】
請求項１の発明は、食器類を洗浄する洗浄水を供給する洗浄ポンプと、汚水を装置外部に排出する排水ポンプとを内蔵する食器洗い機において、前記洗浄ポンプのモータと、前記排水ポンプのモータとが１つの駆動回路を共用し、かつ、前記駆動回路の出力を１つのモータに出力する切替手段を備えることを特徴とする食器洗い機である。
【０００８】
この発明の食器洗い機によれば、１つの駆動回路とその出力の切替手段により、食器洗い機に内蔵された洗浄ポンプと排水ポンプを個別に駆動することができ、駆動回路数を削減して回路装置の低価格化と小形化を実現し、また安価なリレースイッチ等の切替回路が利用でき、食器洗い機のコンパクト化とコストダウンとが可能なり、また駆動回路数を減らすことで信頼性の向上が図られる。
【０００９】
請求項２の発明は、前記食器洗い機の洗浄工程に従って、前記食器洗い機の主制御回路からの信号に基づき前記モータの１つに前記駆動回路から出力されることを特徴とする請求項１に記載の食器洗い機である。
【００１０】
この発明の食器洗い機によれば、食器洗い機の洗浄工程に従い、駆動回路からの出力先が食器洗い機に搭載された主制御回路からの信号に基づき自動的に選択されて洗浄ポンプまたは排水ポンプのモータに出力され駆動されるよになり、信頼性の高い食器洗い機の駆動制御を得ることができる。
【００１１】
請求項３の発明は、前記ポンプのモータがブラシレス直流モータであることを特徴とする請求項１又は２に記載の食器洗い機である。
【００１２】
この発明の食器洗い機によれば、モータの回転制御が容易となり、またモータがコンパクトになり装置の低騒音化、小形化、長寿命化が可能となる。
【００１３】
請求項４の発明は、前記駆動回路が、インバータ回路からなることを特徴とする請求項１〜３のいずれかに記載の食器洗い機である。
【００１４】
この発明の食器洗い機によれば、モータの回転制御が容易となり、操作性が改善された低価格で信頼性の高い食器洗い機の制御回路を得ることができる。
【００１５】
請求項５の発明は、前記駆動回路が、センサレス駆動型回路からなることを特徴とする請求項１〜４のいずれかに記載の食器洗い機である。
【００１６】
この発明の食器洗い機によれば、モータの回転子の位置を検出するための高価なホール素子などの回転子検出用センサが不要となり食器洗い機の低価格化が図られる。
【００１７】
【発明の実施の形態】
本発明の実施形態について、図面に基づき説明する。
【００１８】
図１は、実施形態の食器洗い機１の構造を示す概略図である。図に示すように、食器洗い機１は、前面に開閉自在のドア（図示せず）を備えた密閉可能な洗浄室１１と、洗浄室１１内のテーブル１２上に設置される食器類１３をセットするラック１４と、洗浄水１５及び洗浄後の汚水１６を回収して溜める水槽１７と、洗浄室１１の上部中央に設けられた複数の噴射孔１９を備えた回転可能な洗浄ノズル１８と、洗浄水１５を洗浄ノズル１８に圧送し噴射孔１９から洗浄水１５を噴射する洗浄ポンプ３１と、洗浄後の汚水１６を装置外部に排出するための排水ポンプ３２、さらに洗浄後の食器類１３を乾燥する乾燥用ファン２１と、洗い、すすぎ、乾燥の全洗浄工程を自動制御する主制御回路３６と、主制御回路３６の信号を洗浄ポンプ３１または排水ポンプ３２のモータに出力する駆動回路５が食器洗い機１の本体内に収納され、また水道からの給水管２３が水槽１７に接続され、排水ポンプ３２に接続された排水管２４とを主要な構成として有している。
【００１９】
食器洗い機１は、装置全体の運転を自動制御する主制御回路３６を有し、洗浄やすすぎ、排水に伴う洗浄ポンプ３１と排水ポンプ３２の駆動制御を始めとし、乾燥用送風機２１の運転、給水管２３や排水管２４の弁作動、水槽１７の水位の調整や噴射孔１９からの水勢や水量の調整、洗浄時間や水温の調整などの食器洗い機１の各工程条件を使用者の選択した洗浄コースに従って自動運転するものである。
【００２０】
上記構成による食器洗い機１の食器洗浄の工程を簡単に説明する。洗浄する食器類１３を収納したラック１４をテーブル１２上の所定位置に配置した後、使用者が洗浄コースを設定し自動運転を開始すると、洗剤を投入した水槽１７に所定量の洗浄水１５が給水管２３から供給された後、洗浄ポンプ３１の運転により水槽１７から吸引された洗浄水１５が供給管２０に圧送されて洗浄ノズル１８の噴射孔１９から食器類１３に噴射され、食器類１３の洗浄が所定時間行われる。洗浄が終了すると洗浄ポンプ３１が停止し、代わって排水ポンプ３２が運転され水槽１７に回収された洗浄後の汚水１６を排水管２４に送り装置外部に排出する。同様の洗浄作業を所定回数繰り返し、洗浄工程を終了する。続いて、すすぎ工程が前記洗浄工程と同様の動作で水道水を用いて行われた後、乾燥ファン２１が作動し、洗浄室１１内を温風が循環し食器類の乾燥が行われ一連の食器洗浄工程が完了する。
【００２１】
上記の食器洗い機１では、洗浄ポンプ３１と排水ポンプ３２のモータにブラシレス直流モータが用いられ、このモータはインバータ回路からの出力により駆動制御されている。また、その駆動回路はセンサレス駆動型回路から構成されている。これにより、モータと駆動回路の小形化、高性能化、低騒音化等の高い信頼性を得ることができるようになる。
【００２２】
上記食器洗い機１では、食器類の洗浄、すすぎ工程において、洗浄水１５を洗浄ノズル１８に圧送し噴射孔１９から洗浄水１５を噴射する洗浄ポンプ３１と、洗浄後の汚水１６を装置外部に排水する排水ポンプ３２とが、その機能上同時に運転されることが有り得ない。
【００２３】
本発明の食器洗い機１は、洗浄ポンプ３１と排水ポンプ３２の２個のモータ５１，５２が、それぞれを駆動制御するインバータ回路５４とそのコントロールＩＣ５９を共用し、リレースイッチなどの切替回路５３を用いて洗浄或いは排水時に駆動すべきポンプのモータにインバータ回路５４から出力するものである。さらに、センサが不要のため、両モータからの回転検出信号をコントロールＩＣ５９にフィードバックする必要がなく、切替回路５３を切り替えるだけで２個のモータ５１，５２を制御できる。
【００２４】
従って、食器洗い機１では、２個のモータを制御するインバータ回路の共用化が可能となり、従来の個々のモータにそれぞれ設けられていたインバータ回路とそのコントロールＩＣなどの高価な駆動回路数を１つに統合することができる。
【００２５】
以下に、１つのインバータ回路を共用する洗浄ポンプ３１と排水ポンプ３２の２個のモータ５１，５２を制御する駆動回路５について、図２に示す駆動回路５のブロック図を参照し説明する。
【００２６】
洗浄ポンプ３１のモータ５１と排水ポンプ３２のモータ５２は、３スロット２極のＩＰＭ（Ｉｎｔｅｒｉｏｒ  Ｐｅｒｍａｎｅｎｔ  Ｍａｇｎｅｔ）  型ブラシレス直流モータが用いられている。この２個のモータは２極のＩＰＭ型であるので、回転子の内部にＮ極とＳ極の永久磁石がそれぞれ内蔵されている。
【００２７】
２個のモータ５１、５２のＵ相、Ｖ相、Ｗ相の各コイルへ、切替回路５３を経て、駆動信号がインバータ回路５４から供給される。モータ５１、５２の駆動は、インバータ回路５４を構成する６個のスイッチングトランジスタを用い、モータのＹ結線された３相のコイルに双方向駆動電流を流して駆動するバイポーラ駆動を行う。バイポーラ駆動の方法としては、１２０°通電矩形波駆動法が挙げられる。このインバータ回路５４は直流電流Ｖｍで駆動する。
【００２８】
切替回路５３は、食器洗い機１の主制御回路３６からの切替信号Ｖｋによって、洗浄ポンプ３１のモータ５１または排水ポンプ３２のモータ５２のどちらかに駆動電流が流れる配線をリレースイッチによって切り替えるものである。
【００２９】
２個のモータのうち駆動している１個のモータの回転子の回転位置を検出するための回転子位置検出回路５６を有し、この回転子位置検出回路５６は、インバータ回路５４から切替回路５３に流れる駆動電流を検知して、その駆動電流から回転子の回転位置を検出し、位置検出信号をＰＷＭ回路５７へ出力する。
【００３０】
インバータ回路５４の各スイッチングトランジスタＴｒ１〜Ｔｒ６のゲート端子へゲート信号を送る論理回路５８が設けられ、この論理回路５８に対してＰＷＭ（パルス幅変調）信号を供給するＰＷＭ回路５７が設けられている。このＰＷＭ回路５７は、回転子位置検出回路５６からの位置検出信号と、食器洗い機１の主制御回路３６からの速度指令信号Ｖｓに基づいて、ＰＷＭ信号を論理回路５８に出力する。
【００３１】
そして、回転子位置検出回路５６、ＰＷＭ回路５７、論理回路５８は１個のコントロールＩＣ５９に内蔵されている。
【００３２】
これにより、インバータ回路５４の出力は、食器洗い機１の洗浄時の洗浄水供給又は排水工程に従って主制御回路３６からの信号により自動的に出力先のモータを選択して出力し、洗浄ポンプ３１又は排水ポンプ３２を駆動することができ、個々のモータに専用の駆動回路が不要となる。
【００３３】
また、食器洗い機１内に上記した洗浄、排水ポンプ以外のモータが用いられている時も、同様の方法を採用できるのはもちろんのことである。
【００３４】
【発明の効果】
以上説明したように、本発明の食器洗い機によれば、使用中に同時に駆動することのない洗浄ポンプと排水ポンプの２個のモータの駆動回路を共用化し、切替手段によりその出力を洗浄ポンプ又は排水ポンプに切替えることにより、１つの駆動回路を用いて２個のモータを駆動することができる。これによって、インバータ回路やコントロールＩＣ等のモータの駆動回路数を１つに削減することができ、駆動回路の小形化、低価格化を実現し、高信頼性を得ると共に、食器洗い機のコンパクト化、低価格化を図ることができる。
【図面の簡単な説明】
【図１】実施形態の食器洗い機の構造概略図である。
【図２】実施形態の駆動回路のブロック図である。
【図３】従来例の駆動回路のブロック図である。
【符号の説明】
１……食器洗い機
５……駆動回路
３１……洗浄ポンプ
３２……排水ポンプ
３６……主制御回路
５１，５２……モータ
５３……切替回路
５４……インバータ回路
５６……回転子位置検出回路
５７……ＰＷＭ回路
５８……論理回路
５９……コントロールＩＣ
【図１】
2004290534.tif 000003
【図２】
2004290534.tif 000004
【図３】
2004290534.tif 000005